(57)【要約】【課題】飼育水槽から越流した飼育用水で沈殿物排出口を開閉し、底面部に沈殿した汚物を飼育水槽から適切に除去し、管理しやすい、飼育水槽装置の提供。【解決手段】ポンプ９でバッファ水槽８から飼育水槽２に戻された飼育用水１５が飼育水槽２を越流して貯水部７に溜まり、貯水部７がフック状支点部６を回転中心として下動すると、開閉体５及び止水栓部１０が沈殿物排出口４を開放し、飼育水槽２の飼育用水１５が汚物１９を巻き込み沈殿物排出口４から排出される。このように開閉体５が一旦開くと、貯水部７への飼育用水１５の供給がないまま、飼育水槽２内の飼育用水１５が減り、開閉体５が更に開き、貯水部７の傾きが大きくなり、最後に、貯水部７の飼育用水１５がバッファ水槽８へ勢い良く落下した後、開閉体５が閉鎖し、清らかな飼育用水１５がバッファ水槽８から飼育水槽２に常時循環し、ホタル等の清流を好む飼育生物の飼育にも適している。【選択図】図１
2017169498.tif 000002
【特許請求の範囲】
【請求項１】
飼育生物を飼育する飼育用水を溜める飼育水槽と、上記飼育水槽の底面部側に設けられかつ上記飼育生物の活動により生じて上記飼育水槽の底面部に沈殿した汚物を排出する沈殿物排出口と、上記飼育水槽の内側に上下動可能に設けられた開閉体と、上記飼育水槽の側壁部の上側に掛けられたフック状支点部と、このフック状支点部に一体化されかつ上記飼育水槽の外側に上下動可能に設けられた貯水部と、この貯水部から流出する飼育用水を溜めるバッファ水槽と、このバッファ水槽の飼育用水を回収して飼育水槽に戻すポンプとを備えた飼育水槽装置であって、上記貯水部が上記飼育水槽の側壁部の上側から越流した上記飼育用水を受け止めて上記フック状支点部を回転中心として下動し、この貯水部の下動により上記開閉体が上動して沈殿物排出口を開放しかつ上記受け止められた飼育用水が上記貯水部から上記バッファ水槽に流出し、この流出により上記貯水部が上記フック状支点部を回転中心として上動し、この貯水部の上動により上記開閉体が下動して沈殿物排出口を塞ぐよう、上記飼育水槽から上記貯水部への飼育用水の越流を利用して上記開閉体が沈殿物排出口を開閉するように構成されたことを特徴とする飼育水槽装置。
【請求項２】
上記開閉体がフック状支点部を介して貯水部と一体となったことを特徴とする請求項１記載の飼育水槽装置。
【請求項３】
上記開閉体の下部には上記沈殿物排出口を開閉する止水栓部が上記沈殿物排出口の開口部の形状に嵌るようにその形状とほぼ同じ大きさの突出部として設けられたことを特徴とする請求項１又は請求項２に記載の飼育水槽装置。
【請求項４】
上記開閉体と上記貯水部とが定滑車に掛けた可撓性の有る連結体で互いに連結されたことを特徴とする請求項１に記載の飼育水槽装置。
【請求項５】
上記定滑車を用いた開閉体及び上記沈殿物排出口が上記飼育水槽の底面部の中央部に設けられたことを特徴とする請求項４に記載の飼育水槽装置。
【請求項６】
上記飼育水槽の底面部が斜面に構成されたことを特徴とする請求項１乃至５のいずれか１項に記載の飼育水槽装置。
【発明の詳細な説明】
【技術分野】
【０００１】
本発明は、飼育水槽装置に関する。
【背景技術】
【０００２】
図１０を用いて、特許文献１で開示された飼育水槽装置１０１について説明する。図１０に示した飼育水槽装置１０１は、飼育水槽１０２の内部に配置された吹き出し管１０３がエアーポンプから供給された空気１０４を吹き出して飼育用水に上下方向の回流１０５を作り、この回流が飼育生物の糞や食べかす等の汚物１０６を底面部１０７の斜面の下流側へ押し流して飼育用水１０８と共に排水口１０９から樋１１０に排出させ、この樋１１０に排出された飼育用水１０８は浄化処理後に飼育水槽１０２に戻すようになっている。
【０００３】
しかしながら、特許文献１の飼育水槽装置１０１では、飼育水槽１０２の斜面下流側に設けられた排水口１０９が開放されたままであるので、飼育水槽１０２の汚物１０６を含む飼育用水１０８が飼育水槽１０２から外側に常に排出される構造になっている。このため、吹き出し管１０３から吹き出された気泡の流れによって作られた回流１０５と排水口１０９から流れ出る飼育用水１０８の流れとの相乗効果により、上記飼育用水１０８の回流速度が早くなり、汚物１０６が底面部１０７に溜まりにくくなって回流速度の早い飼育用水１０８中に拡散し、飼育用水１０８の水質が悪くなる。又、常に飼育水槽１０２の全体に渡って回流が発生することから、飼育生物に適した回流に管理するのが難しかった。
【先行技術文献】
【特許文献】
【０００４】
【特許文献１】特開２００２−２２３６６０号公報
【特許文献２】特開２００６−２１７８２２号公報
【発明の概要】
【発明が解決しようとする課題】
【０００５】
本発明は、上記背景技術に鑑みてなされたものであり、飼育水槽から越流した飼育用水で沈殿物排出口を開閉し、底面部に沈殿した汚物を飼育水槽から適切に除去し、管理しやすい、飼育水槽装置の提供を目的とする。
【課題を解決するための手段】
【０００６】
本発明は、飼育生物を飼育する飼育用水を溜める飼育水槽と、上記飼育水槽の底面部側に設けられかつ上記飼育生物の活動により生じて上記飼育水槽の底面部に沈殿した汚物を排出する沈殿物排出口と、上記飼育水槽の内側に上下動可能に設けられた開閉体と、上記飼育水槽の側壁部の上側に掛けられたフック状支点部と、このフック状支点部に一体化されかつ上記飼育水槽の外側に上下動可能に設けられた貯水部と、この貯水部から流出する飼育用水を溜めるバッファ水槽と、このバッファ水槽の飼育用水を回収して飼育水槽に戻すポンプとを備えた飼育水槽装置であって、上記貯水部が上記飼育水槽の側壁部の上側から越流した上記飼育用水を受け止めて上記フック状支点部を回転中心として下動し、この貯水部の下動により上記開閉体が上動して沈殿物排出口を開放しかつ上記受け止められた飼育用水が上記貯水部から上記バッファ水槽に流出し、この流出により上記貯水部が上記フック状支点部を回転中心として上動し、この貯水部の上動により上記開閉体が下動して沈殿物排出口を塞ぐよう、上記飼育水槽から上記貯水部への飼育用水の越流を利用して上記開閉体が沈殿物排出口を開閉するように構成されたことを特徴とする。
【発明の効果】
【０００７】
本発明は、ポンプでバッファ水槽から飼育水槽に戻された飼育用水が飼育水槽を越流して貯水部に溜まり、貯水部がフック状支点部を回転中心として下動すると、開閉体が沈殿物排出口を開放し、飼育水槽内の飼育用水が飼育水槽の底面部に沈殿した汚物を巻き込み沈殿物排出口から排出されるというように、開閉体が一旦開くと、飼育水槽内の飼育用水が減り、貯水部への飼育用水の供給がないまま、開閉体が更に開き、貯水部の傾きが大きくなり、最後に、貯水部の飼育用水がバッファ水槽へと落下した後、開閉体が閉鎖し、飼育水槽の底面部に沈殿した汚物を飼育水槽から適切に除去し、管理しやすいので、金魚や熱帯魚等の魚類だけでなく、ホタル等の清流を好む飼育生物の飼育にも適している。
【０００８】
本発明において、開閉体がフック状支点部を介して貯水部と一体となっていれば、開閉体と貯水部との連動するための構造が簡単になる。本発明において、開閉体の下部には沈殿物排出口を開閉する止水栓部が沈殿物排出口の開口部の形状に嵌るようにその形状とほぼ同じ大きさの突出部として設けられれば、沈殿物排出口の水密性が良くなる。本発明において、開閉体と上記貯水部とが定滑車に掛けた可撓性の有る連結体で互いに連結されれば、開閉体がフック状支点部から分離して直線的に上下動して沈殿物排出口を開閉できる。本発明において、定滑車を用いた開閉体及び沈殿物排出口が飼育水槽の底面部の中央部に設けられれば、底面部の側部に沈殿物排出口がある構造よりも、底面部の周縁部から沈殿物排出口までの距離が短くなり、汚物排出が良好になる。本発明において、飼育水槽の底面部が斜面に構成されれば、飼育用水が底面部に沈殿していた汚物を巻き込みながら底面部の斜面に沿って沈殿物排出口から勢い良く排出され、汚物排出が良好になる。
【０００９】
なお、前記発明の概要は、本発明の必要な全ての特徴を列挙したものではなく、これらの特徴群のサブコンビネーションもまた、発明となりうる。
【図面の簡単な説明】
【００１０】
【図１】発明を実施するための形態１の飼育水槽装置の初期状態を示した模式図。
【図２】発明を実施するための形態１の飼育水槽装置の飼育用水の貯水部への越流中を示した模式図。
【図３】発明を実施するための形態１の飼育水槽装置の飼育用水の貯水部からの溢れを示した模式図。
【図４】発明を実施するための形態１のフック状支点部と水槽側支点部とを分解して示した斜視図。
【図５】図４のフック状支点部と水槽側支点部と組み立てたＡ―Ａ線断面図。
【図６】発明を実施するための形態２の飼育水槽装置の飼育用水の貯水部への越流中を示した模式図。
【図７】発明を実施するための形態３の飼育水槽装置の飼育用水の貯水部への越流中を示した模式図。
【図８】発明を実施するための形態４の飼育水槽装置の飼育用水の貯水部への越流中を示した模式図。
【図９】発明を実施するための形態５の飼育水槽装置の飼育用水の貯水部への越流中を示した模式図。
【図１０】特許文献１で開示された飼育水槽装置を示した模式図。
【発明を実施するための形態】
【００１１】
図１，２を用いて、発明を実施するための形態１に係る飼育水槽装置１について説明する。先ず、飼育水槽装置１の構成について説明する。
【００１２】
図１に示した飼育水槽装置１は、飼育水槽２と防護部材３と沈殿物排出口４と開閉体５とフック状支点部６と貯水部７とバッファ水槽８とポンプ９と止水栓部１０と沈殿物受け部１１とパイプ１２とフィルタ１３とを備える。そして、ポンプ９の駆動により飼育用水１５がバッファ水槽８から飼育水槽２に戻されて飼育水槽２を越流して貯水部７に溜まり、その溜まった飼育用水１５の量が増加すると、貯水部７がフック状支点部６を回転中心として下動し、開閉体５が沈殿物排出口４を開き、飼育水槽２の底面部２１側の飼育用水１５が底面部２１に沈殿した汚物１９を巻き込み沈殿物排出口４から飼育水槽２の外側に排出される。このように沈殿物排出口４からの飼育用水１５の排水が始まると、飼育水槽２の水位が下がり、それ以上、飼育用水１５の飼育水槽２から貯水部７への越流が停止し、貯水部７に飼育用水１５が供給されない。つまり、開閉体５が一旦開いたら、貯水部７への飼育用水１５の供給がないまま、飼育水槽２内の飼育用水１５が減り、開閉体５が更に開いていき、貯水部７の傾きが大きくなると、最後に、貯水部７の飼育用水１５がバッファ水槽８へ一気に勢い良く落下し、その後、開閉体５が閉鎖する。閉塞により飼育水槽２の下がった水位は、ポンプ９によりバッファ水槽８から飼育用水１５が戻されて、越流可能な水位までの貯留を経て、再び越流を開始する。飼育水槽装置１は、この動作を繰り返すことにより、定期的に汚物１９が排出される。
【００１３】
飼育水槽２の底面部２１を水平に構成した場合も適用可能であるが、図１に示したように飼育水槽２の底面部２１が斜面に構成されているので、飼育用水１５が底面部２１の斜面に沿って沈殿物排出口４から沈殿物受け部１１の側に勢い良く排出され、この勢い良く排出される飼育用水１５が底面部２１に沈殿していた汚物１９を巻き込み沈殿物排出口４から排出されるので、底面部２１が水平になっている場合よりも、汚物１９が良好に排出される。
【００１４】
又、人がポンプ９の電源スイッチを操作することでポンプ９の駆動及び停止を行うことも、汚物１９の底面部２１への沈殿量を電気的に監視し、その監視結果に基づき、ポンプ９の電源スイッチを人為操作するか又は電気的に制御することも考えられる。又、止水栓部１０が設けられることで沈殿物排出口４の水密性が良くなり、沈殿物受け部１１が設けられることでバッファ水槽８中の飼育用水１５の清らかさが向上し、パイプ１２が設けられることでポンプ９を飼育水槽２又はバッファ水槽８に配置することが可能となり、フィルタ１３が設けられることで飼育水槽２に戻される飼育用水１５の清らかさが向上する。
【００１５】
尚、図１に示したように、開閉体５とフック状支点部６と貯水部７とからなる一体化された構造体において、フック状支点部６が側壁部２５の上側に掛けられて回転可能に支持され、飼育用水１５が貯水部７に入っていない場合、開閉体５と貯水部７との釣り合いにより、開閉体５が沈殿物排出口４を閉じるようになっている。この開閉体５が沈殿物排出口４を閉じる、開閉体５と貯水部７との釣り合いの設定には、開閉体５と貯水部７との一方又は両方に重りを付けても良い。
【００１６】
図１では、架台１６の上に飼育水槽２を置く時に、架台１６と飼育水槽２の底面部２１の一端側２２との間にスペーサ１７を挟み、底面部２１の他端側２３を架台１６の上に載せることにより、飼育水槽２の底面部２１が一端側２２から他端側２３に下り勾配となる斜面を構成する場合を例示した。スペーサ１７を使用することなく、飼育水槽２を架台１６の上に置くだけで、底面部２１が一端側２２から他端側２３に下り勾配となる斜面を構成するようにしても適用可能である。
【００１７】
防護部材３は、底面部２１から上側に離されて飼育水槽２の内部に設置され、底面部２１と防護部材３との間に汚物１９の沈殿する空間２４が設けられ、汚物通過性を有しかつ飼育生物１８の通過を阻止する機能を有する。汚物通過性は、糞や食べかす等の汚物１９が防護部材３の上側から底面部２１の側に通過する機能である。防護部材３としては、例えば、合成樹脂製又はステンレス製のものを用いれば良い。また、形状としては多数の孔を有する籠又は多数の孔を有する板状物又は網状物等が適用可能である。防護部材３は、開閉体５の開閉動作を妨げないように飼育水槽２の内部に設置される。防護部材３として、例えば、図１に示した底部と周面が囲われた籠のような構造が考えられる。
【００１８】
沈殿物排出口４は、飼育水槽２の下流側の側面下部に設けられ、底面部２１に沈殿した汚物１９を飼育用水１５の一部と一緒に飼育水槽２の内側から外側に排出するようになっている。開閉体５は、沈殿物排出口４を飼育水槽２の内側から塞いだり開放したりするものである。
【００１９】
フック状支点部６は、開閉体５の上部に一端が一体化され、飼育水槽２の側壁部２５の上側に掛けられて当該側壁部２５の上側を被覆し、飼育水槽２の内部の飼育用水１５を側壁部２５の上側及びフック状支点部６の上側を越流させて飼育水槽２の外側に誘導するように曲がっている。このフック状支点部６の曲がりは、フック状支点部６を側面から見た場合に逆Ｕ字形又は逆Ｖ字形になっている。フック状支点部６が被せられる側壁部２５の上側は、フック状支点部６を回転可能に支持する水槽側支点部２６になっている。フック状支点部６が逆Ｖ字形の場合、水槽側支点部２６は水槽側支点部２６を側面から見た場合に山形になっていても適用可能である。
【００２０】
貯水部７は、フック状支点部６の他端に一体化され、上記越流した飼育用水１５を受け、その受けた飼育用水１５の重さでフック状支点部６を回転中心として下動する。下動は、下方への移動と同義語である。この貯水部７の下動によって、開閉体５がフック状支点部６を回転中心として上動して沈殿物排出口４を開放する。上動は、上方への移動と同義語である。上記貯水部７の下動によって飼育用水１５が貯水部７から溢れ、貯水部７が開閉体５よりも軽くなると、貯水部７がフック状支点部６を回転中心として上動し、開閉体５がフック状支点部６を回転中心として下動作して沈殿物排出口４を塞ぐ。つまり、開閉体５とフック状支点部６と貯水部７とからなる唯一の形に一体化された構造体が弥次郎兵衛又は鹿威し等のように動作する構成である。
【００２１】
開閉体５とフック状支点部６と貯水部７とからなる一体化された構造体にあっては、フック状支点部６が側壁部２５の上側に掛けられて回転可能に支持されるので、開閉体５とフック状支点部６と貯水部７とからなる一体化された構造体が飼育水槽２に工具等を使用しないで簡単に設置できる。これに対し、設置や掃除の際における作業の手間は増えるが、フック状支点部６が側壁部２５の上側に掛けられた後、ボルト等のネジ部材で回転可能に支持されるようにフック状支点部６と水槽側支点部２６とを連結すれば、開閉体５とフック状支点部６と貯水部７とからなる一体化された構造体の飼育水槽２からの脱落を防止できる。
【００２２】
バッファ水槽８は、貯水部７の下動によって貯水部７から溢れる飼育用水１５を溜める構成である。ポンプ９は、電動ポンプからなり、バッファ水槽８の飼育用水１５を回収して飼育水槽２に戻す構成である。ポンプ９がバッファ水槽８に溜められた飼育用水１５中に入れられた場合を例示したが、ポンプ９はバッファ水槽８に溜められた飼育用水１５に入れることなく、ポンプ９の吸水口に接続された吸水パイプの先端部をバッファ水槽８に溜められた飼育用水１５中に入れても適用可能である。ポンプ９の排水口に接続されたパイプ１２は貯水部７のフック状支点部６を回転中心として上下方向に回転する動作及び開閉体５のフック状支点部６を回転中心として上下方向に回転する動作に支障を与えることのないように配置され、パイプ１２の先端部が飼育水槽２の内部側に配置されたことにより、ポンプ９がバッファ水槽８の飼育用水１５を回収して飼育水槽２に戻すようになっている。
【００２３】
止水栓部１０は、沈殿物排出口４を開閉するものであって、沈殿物排出口４の開口部の形状に嵌るように、その形状とほぼ同じ大きさの突出部が開閉体５の下部に設けられ、開閉体５の下動で沈殿物排出口４を水密に閉鎖し、開閉体５の上動で沈殿物排出口４を開放する構成である。沈殿物受け部１１は、沈殿物排出口４から排出された汚物１９と飼育用水１５とを受容し、受容した汚物１９を捕捉し、受容した飼育用水１５を通過させる構成である。沈殿物受け部１１は、沈殿物受け部１１を通過した飼育用水１５がバッファ水槽８に落下するように、バッファ水槽８に溜められた飼育用水１５よりも上側に設けられる。沈殿物受け部１１をバッファ水槽８の内部に置く図示のされていない取り付け部がバッファ水槽８又は飼育水槽２に設けられる。
【００２４】
フィルタ１３は、パイプ１２の先端部から排出されてフィルタ１３を通過した飼育用水１５を飼育水槽２に落下させるように、飼育水槽２に溜められた飼育用水１５よりも上側に配置されるように、パイプ１２の先端部又は飼育水槽２に設けられる。フィルタ１３は、ポンプ９で運搬される飼育用水１５をろ過するものであって、飼育水槽２に戻される飼育用水１５中の汚物１９を捕捉し、飼育用水１５を通過させる構成である。フィルタ１３に相当するフィルタをポンプ９の吸水口又はパイプの先端部に設けても適用可能である。フィルタ１３とポンプ９の吸水側に設けられたフィルタとの一方又は両方を設けても適用可能である。
【００２５】
次に、飼育水槽装置１の動作について説明する。図１に示したように、飼育用水１５が貯水部７に溜められていないで上昇限度位置に停止し、貯水部７の底部の先端部７ａが底部の奥側７ｂよりも高くなる勾配となるように貯水部７の底部が傾斜し、開閉体５及び止水栓部１０が沈殿物排出口４を塞ぎ、飼育用水１５が飼育水槽２とバッファ水槽８とに必要量入れられて溜められ、防護部材３の底部よりも上側における飼育水槽２の飼育用水１５中で飼育生物１８が生息し汚物１９が空間２４における底面部２１の上に沈殿し、ポンプ９が電力供給を受けて駆動し、バッファ水槽８に溜められた飼育用水１５がバッファ水槽８からポンプ９とパイプ１２及びフィルタ１３を経由して回収されて飼育水槽２に戻される。
【００２６】
そして、図２に示したように、飼育水槽２に戻された飼育用水１５の量が増加し、飼育用水１５の水面が上昇してフック状支点部６の開閉体５側からフック状支点部６の上側を越えると、飼育用水１５がフック状支点部６の上側を越流して貯水部７に溜まる。その後、貯水部７に溜まった飼育用水１５の量が増加し、貯水部７に溜まった飼育用水１５の重さと貯水部７の重さとの総和（以下、貯水部側重量と表現する）が開閉体５の重さ及び止水栓部１０の重さ並びに開閉体５に加えられた飼育水槽２側の飼育用水１５の水圧の総和（以下、開閉体側重量と表現する）より大きくなり、貯水部７が飼育水槽２のフック状支点部６を回転中心として下動する。
【００２７】
上記貯水部７の下動により、図３に示したように、開閉体５が他端側２３の側壁部２５から飼育水槽２の内側に離れる方向に上動して沈殿物排出口４を開放し、かつ、止水栓部１０が沈殿物排出口４より飼育水槽２の内側へ抜けて沈殿物排出口４を開放し、飼育水槽２の飼育用水１５が沈殿物排出口４から沈殿物受け部１１に一気に排出される。この飼育用水１５の排出に伴って、それよりも以前に、飼育水槽２の底面部２１に沈殿していた汚物１９に飼育用水１５の沈殿物排出口４から排出される流れが作用し、飼育用水１５が底面部２１に沈殿していた汚物１９を巻き込み沈殿物排出口４から沈殿物受け部１１の側に一気に排出される。
【００２８】
そして、図３に示したように、貯水部７の底部の先端部７ａが底部７の奥側７ｂより低くなる勾配となるように貯水部７の底部７が傾斜し、飼育用水１５が貯水部７に残ることなく貯水部７からバッファ水槽８に排出される。この貯水部７からバッファ水槽８への飼育用水１５の排出に伴い、貯水部側重量が一気に減少して開閉体側重量より軽くなる。これにより、図１に示したように、貯水部７がフック状支点部６を回転中心として上動し、開閉体５及び止水栓部１０がフック状支点部６を回転中心として下動して沈殿物排出口４を閉鎖する。
【００２９】
要するに、図１乃至３に示した飼育水槽装置１によれば、飼育水槽２から貯水部７の側に越流した飼育用水１５を利用して開閉体５が沈殿物排出口４を開閉し、汚物１９の底面部２１への沈殿に悪影響を与えることなく、汚物１９を底面部２１の斜面に沿って適切に除去することが確認できた。
【００３０】
尚、図１乃至３に示したように、貯水部７がフック状支点部６を回転中心として上下動した場合でも、開閉体５における開口部５ｂの縁部が貯水部７の飼育用水１５中に存在するので、飼育用水１５が飼育水槽２からフック状支点部６の上側を経由して貯水部７に常に適切に越流できる。
【００３１】
又、開閉体５及び止水栓部１０で沈殿物排出口４が塞がれた後も、ポンプ９の駆動を継続し、清らかな飼育用水１５をバッファ水槽８から飼育水槽２に常時供給し循環させることで、ポンプ９の動力だけで、その他の動力やスイッチ、タイマーなどを必要とせずに間欠的に汚物１９の除去が行える。当然、ポンプ９を間欠に動かしても良い。
【００３２】
例えば、飼育生物１８がホタルの幼虫を飼育したところ、餌であるカワニナ及びホタルの幼虫が防護部材３の上側で生育し、糞や食べかす等の汚物１９が防護部材３を通過して空間２４で底面部２１の上に沈殿することが確認できた。又、飼育水槽２の容積やホタルの幼虫の飼育数にもよるが、飼育水槽２の容積で飼育可能なホタルの幼虫の飼育数であれば、図１乃至３に示した飼育水槽装置１により、飼育水槽２から貯水部７の側に越流した飼育用水１５で沈殿物排出口４を開閉し、汚物１９の底面部２１への沈殿に悪影響を与えることなく、汚物１９を底面部２１の斜面に沿って適切に除去することが確認できた。
【００３３】
図４，５を用いて、前述したフック状支点部６と水槽側支点部２６との細部について説明する。図４に示したように、フック状支点部６は、その上側が飼育水槽２から貯水部７に越流する飼育用水１５の通路を構成する中央側の越流誘導路６ａと、越流誘導路６ａから飼育用水１５の溢れるのを防止する両側の堤部６ｂとを備える。フック状支点部６と一体化した開閉体５は中央側の開口部５ａと両側のアーム部５ｂと下側の蓋部５ｃとを備える。蓋部５ｃには、止水栓部１０が設置される。水槽側支点部２６は、中央側の越流受け部２６ａと両側の堤受け部２６ｂとを備える。
【００３４】
そして、越流誘導路６ａが越流受け部２６ａの上に載せられ、堤部６ｂが堤受け部２６ｂの上に載せられた場合、フック状支点部６が飼育水槽２における水槽側支点部２６の両側で上側に突出した対の側壁部２７間に収容され、フック状支点部６が水槽側支点部２６で飼育水槽２における側壁部２５の内側と外側との方向に回転可能に支持されている。
【００３５】
図５に示したように、フック状支点部６が水槽側支点部２６で回転可能に支持された場合において、越流誘導路６ａを越流する飼育用水１５の水面が両側の堤受け部２６ｂの上側を結ぶ仮想線Ｌよりも下位となるように設定され、越流誘導路６ａと越流受け部２６ａとの間の水密性を確保する構造又は越流誘導路６ａと越流受け部２６ａとを例えば屈曲可能なゴムシート等で接続し一体化して越流誘導路６ａと越流受け部２６ａとの間に隙間の生じない構造を用いることにより、飼育水槽２から貯水部７（図４を参照）に越流する飼育用水１５のフック状支点部６や飼育水槽２から外側への漏れを防止できる。上記越流誘導路６ａと越流受け部２６ａとを例えば屈曲可能なゴムシート等で接続し一体化して越流誘導路６ａと越流受け部２６ａとの間に隙間の生じない構造を用いた場合は、堤部６ｂを堤受け部２６ｂの上に載せるだけで良い。
【００３６】
図５では、沈殿物排出口４を対の側壁部２７の対向間隔にわたる大きさで１個形成したが、沈殿物排出口４の個数が１個の場合でも対の側壁部２７の対向間隔よりも幅の狭い大きさでも適用可能であり、又、沈殿物排出口４の個数は複数個であっても適用可能である。このように沈殿物排出口４の幅を狭くしたり、沈殿物排出口４を複数個設けたりした場合、開閉体５の形状や止水栓部１０の形状を沈殿物排出口４に適合するように構成することが考えられる。
【００３７】
図６を用いて、発明を実施するための形態２に係る飼育水槽装置１について説明する。図６に示した飼育水槽装置１は、合成樹脂製の網状物から成る防護部材３が開閉体５の開閉動作を妨げないように開閉体５から上流側に位置して飼育水槽２の内部に設置された構成が、図１に示した飼育水槽装置１と相違する。
【００３８】
図７を用いて、発明を実施するための形態３に係る飼育水槽装置１について説明する。図７に示した飼育水槽装置１は、樋からなる沈殿物受け部２８が受けた汚物１９の混ざった飼育用水１５をバッファ水槽８以外に排出して破棄する構成が、図１に示した飼育水槽装置１と相違する。
【００３９】
図８を用いて、発明を実施するための形態４に係る飼育水槽装置１について説明する。図８に示した飼育水槽装置１は、開閉体５が定滑車２９とロープのような可撓性の有る連結体３０とで貯水部７の昇降で開閉する構成が、図１に示した飼育水槽装置１と相違する。
【００４０】
例えば、定滑車２９が飼育水槽２に設置され、連結体３０の一端部が貯水部７の先端部７ａ側に固定され、連結体３０の他端部が定滑車２９を経由して開閉体５の上端に固定され、貯水部７が溜まった飼育用水１５等の重量の増加でフック状支点部６を回転中心として下動すると、連結体３０が開閉体５を側壁部２５に沿う図示のされていないガイド部に案内されて直線的に上動し、上動した開閉体５が沈殿物排出口４を開放し、貯水部７が排出された飼育用水１５等の重量の減少でフック状支点部６を回転中心として上動すると、開閉体５が自分の重さで図示のされていないガイド部に案内されて直線的に下動して沈殿物排出口４を塞ぐ。
【００４１】
定滑車２９と連結体３０とにより貯水部７のフック状支点部６を回転中心とした回転運動を開閉体５の直線運動に変換する運動変換機構が構成される。換言すると、開閉体５が定滑車２９と連結体３０とからなる運動変換機構と貯水部７とを介してフック状支点部６に一体化されていると概念できる。
【００４２】
図９を用いて、発明を実施するための形態５に係る飼育水槽装置１について説明する。図９に示した飼育水槽装置１は、飼育水槽２の底面部２１が周辺部から中央側に下り勾配となる斜面を構成し、沈殿物排出口４が底面部２１の中央側に設けられ、開閉体５が２個の定滑車２９と連結体３０とからなる回転運動を直線運動に変換する運動変換機構と貯水部７とを介して昇降する構成が、図１に示した飼育水槽装置１と相違する。
【００４３】
図９に示した飼育水槽装置１のように定滑車２９を用いた開閉体５及び沈殿物排出口４が飼育水槽２の底面部２１の中央部に設けられれば、例えば、図８に示した飼育水槽装置１のように底面部２１の側部に沈殿物排出口４がある構造よりも、底面部２１の周縁部から沈殿物排出口４までの距離が短くなり、汚物排出が良好になる。
【００４４】
図９に示した飼育水槽装置１では、１つの定滑車２９がフック状支点部６側で飼育水槽２に設けられ、もう１つの定滑車２９が開閉体５の直上側で飼育水槽２に設けられており、ロープのような可撓性の有る連結体３０によって、開閉体５と２つの定滑車２９を経ながら貯水部７を介してフック状支点部６に一体化された構成となる。尚、定滑車２９は一つでも３個以上でも良い。又、防護部材３は、中央部に上下方向に貫通した孔を囲む環状の底部が底部の内外周縁より上方に延びる周面で囲われた１体の籠又は周方向に複数個に分割された籠のような構造或いは開閉体５や開閉体５と真上の定滑車２９との間の連結体３０の動作に支障を招くことないように開閉体５の周囲及び沈殿物排出口４の周囲を覆うドームのような構造や、筒状の構造等が考えられる。
【００４５】
図８，９において、更に、動滑車を使用しても適応可能である。図１乃至９において、沈殿物排出口４と、その周囲や内側と、接する開閉体５や止水栓部１０は、双方又は片方が少なくともその表面がゴム状の弾性であれば更に水密性が高まる。図１乃至９において、防護部材３、止水栓部１０、沈殿物受け部１１、フィルタ１３は設けなくても適用可能であり、飼育水槽２の底面部２１は斜面でなく水平面でも良い。
【００４６】
以上、本発明を実施の形態を用いて説明したが、本発明の技術的範囲は前記実施の形態に記載の範囲には限定されない。前記実施の形態に、多様な変更または改良を加えることが可能であることが当業者にも明らかである。そのような変更または改良を加えた形態も本発明の技術的範囲に含まれ得ることが、特許請求の範囲から明らかである。
【符号の説明】
【００４７】
１      飼育水槽装置
２      飼育水槽
３      防護部材
４      沈殿物排出口
５      開閉体
５ａ    開口部
５ｂ    アーム部
５ｃ    蓋部
６      フック状支点部
６ａ    越流誘導路
６ｂ    堤部
７      貯水部
８      バッファ水槽
９      ポンプ
１０    止水栓部
１１    沈殿物受け部
１２    パイプ
１３    フィルタ
１５    飼育用水
１６    架台
１７    スペーサ
１８    飼育生物
１９    汚物
２１    底面部
２２    一端側
２３    他端側
２４    空間
２５    側壁部
２６    水槽側支点部
２６ａ  越流受け部
２６ｂ  堤受け部
２７    側壁部
２８    沈殿物受け部
２９    定滑車
３０    連結体
【図１】
2017169498.tif 000003
【図２】
2017169498.tif 000004
【図３】
2017169498.tif 000005
【図４】
2017169498.tif 000006
【図５】
2017169498.tif 000007
【図６】
2017169498.tif 000008
【図７】
2017169498.tif 000009
【図８】
2017169498.tif 000010
【図９】
2017169498.tif 000011
【図１０】
2017169498.tif 000012